(57)【特許請求の範囲】
【請求項１】
設置面上に敷設される床材とともに配置される照明機器の配線を行うための配線器具であって、
照明機器を収容する上フレームと、照明機器の配線を収容する下フレームとを備え、上フレームと下フレームとが重なるように構成され、
下フレームは、床材が敷設される前記設置面上に配置されることを特徴とする配線器具。
【請求項２】
上フレームには、下フレームに収容される配線を照明機器に接続するための開口部が設けられる請求項１に記載の配線器具。
【請求項３】
上フレームの下部には、床材の底面に接触して保持するための保持部が設けられる請求項１又は２に記載の配線器具。
【請求項４】
床材とともに配置される照明機器の配線を行うための配線器具であって、
照明機器を収容する上フレームと、照明機器の配線を収容する下フレームとを備え、上フレームと下フレームとが重なるように構成され、
上フレームの上部には、床材間の高低差を解消すべく、下方に向かって斜めに傾斜する傾斜部が設けられることを特徴とする配線器具。
【請求項５】
床材とともに配置される照明機器の配線を行うための配線器具であって、
照明機器を収容する上フレームと、照明機器の配線を収容する下フレームとを備え、上フレームと下フレームとが重なるように構成され、
下フレームの下部には、床材の底面に接触して保持するための保持部が設けられることを特徴とする配線器具。
【請求項６】
上層と、下層と、上層と下層との間に設けられる枠材とを有し、上層、下層、及び枠材を合成樹脂により構成し、上層と枠材とを接合し、かつ枠材と下層とを接合することで、上層、枠材、及び下層とにより内部に電気機器を収容する収容部が形成されてなる床材であって、請求項１から５のいずれか１項に記載の配線器具における下フレームを、前記下層と一体に構成してなることを特徴とする床材。
【請求項７】
床材と、この床材の側部に設けられる請求項１から５のいずれか１項に記載の配線器具とを備えることを特徴とする床構造。
【発明の詳細な説明】
【技術分野】
【０００１】
本発明は、床材とともに設けられる照明機器を配線するための配線器具及びこの配線器具を用いた床材並びに床構造に関する。
【背景技術】
【０００２】
従来、例えば、夜間若しくは暗所において足下を照らすため、または、所定の方向に歩行者を誘導するために、床の目地部分に照明機器を設ける場合がある。この場合に使用される照明機器としては、複数のライトと、電源コードと、これらを支持する支持台を有したものがある（例えば特許文献１参照）。
【０００３】
この照明機器は、支持台の上端部にライトの下端部を埋設固定するとともに、電源コードを支持台の内部に埋設して構成される。この照明機器は、目地の部分に溝を形成するとともに、この溝にコーキング材等によって目地の部分に固定されるようになっている。
【先行技術文献】
【特許文献】
【０００４】
【特許文献１】特開２００６−２３３４２６号公報
【発明の概要】
【発明が解決しようとする課題】
【０００５】
上記のように、床面に照明機器を設けるような場合には、床材の種類や大きさ、照明の目的その他の様々な事情に応じて、照明機器の種類、数、大きさ等を決定する必要がある。この際、照明機器の選択の仕方によっては、配線が複雑になる可能性がある。
【０００６】
従来の照明機器では、支持台の上部にライトを固定し、支持台の下部に電源コードを埋設固定していたため、配線が複雑になった場合に、支持台に配線を収容することができなくなるという問題があった。
【０００７】
本発明は、上記の事情に鑑みてなされたものであり、照明機器の配線が複雑になった場合であっても配線の接続が可能な配線器具、及びこの配線器具を用いた床材並びに床構造を提供することを目的とする。
【課題を解決するための手段】
【０００８】
本発明は、設置面上に敷設される床材とともに配置される照明機器の配線を行うための配線器具であって、照明機器を収容する上フレームと、照明機器の配線を収容する下フレームとを備え、上フレームと下フレームとが重なるように構成され、下フレームは、床材が敷設される前記設置面上に配置されることを特徴とする。
【０００９】
かかる構成によれば、照明機器を上フレームに収容するとともに、上フレームとは別の下フレームによって配線を収容することにより、照明機器の種類、大きさ等にかかわらず、配線を収容するスペースを確保して、配線の構成が複雑になった場合でも、照明機器と配線との接続を確実に行うことが可能になる。
【００１０】
また、本発明に係る配線器具は、上フレームに、下フレームに収容される配線を照明機器に接続するための開口部が設けられることが望ましい。
【００１１】
かかる構成によれば、下フレームに収容される配線の端部を上フレームの開口部に挿通することによって、上フレームに収容される照明機器にこの配線を確実に接続できる。
【００１２】
また、本発明に係る配線器具は、上フレームの上部に、床材間の高低差を解消すべく、下方に向かって斜めに傾斜する傾斜部が設けられるようにしてもよい。
【００１３】
かかる構成によれば、傾斜部によって床材間の高低差による段差を解消することができ、歩行者、居住者等が躓くということを可及的に防止できるようになる。
【００１４】
また、本発明に係る配線器具は、下フレームの下部に、床材の底面に接触して保持する保持部が設けられるようにしてもよい。
【００１５】
かかる構成によれば、下フレームの保持部が床材の底面に接触して保持することによって、床材の位置ずれを防止できるようになる。
【００１６】
また、本発明に係る配線器具は、上フレームの下部に、床材の底面に接触して保持する保持部が設けられるようにしてもよい。
【００１７】
かかる構成によれば、上フレームの保持部が床材の底面に接触して保持することによって、床材の位置ずれを防止できるようになる。
【００１８】
また、本発明は、上層と、下層と、上層と下層との間に設けられる枠材とを有し、上層、下層、及び枠材を合成樹脂により構成し、上層と枠材とを接合し、かつ枠材と下層とを接合することで、上層、枠材、及び下層とにより内部に電気機器を収容する収容部が形成されてなる床材であって、請求項１から５のいずれか１項に記載の配線器具における下フレームを、前記下層と一体に構成してなることを特徴とする。
【００１９】
かかる構成によれば、配線器具の下フレームを床材の下層に一体に構成することによって、この下フレームに上フレームを重ねるだけで、容易に配線器具を配置できるとともに、照明機器と床材内の電気機器との接続が可能になり、照明機器と電気機器との組み合わせによって、様々な動作が可能になる。例えば、電気機器が電池である場合には、照明機器に接続される配線の長さを省略することが可能になる。
【００２０】
また、本発明に係る床構造は、床材と、この床材の側部に設けられる請求項１から５のいずれか１項に記載の配線器具とを備えることを特徴とする。
【００２１】
かかる構成によれば、床材の側部に配線器具を設けることによって、照明機器と床材内の電気機器との接続が可能になり、照明機器と電気機器との組み合わせによって、様々な動作が可能になる。例えば、電気機器が電池である場合には、照明機器に接続される配線の長さを省略することが可能になる。
【発明の効果】
【００２２】
本発明によれば、照明機器の配線が複雑になった場合であっても配線の接続が可能になる。
【図面の簡単な説明】
【００２３】
【図１】第１実施形態に係る床構造の縦断面図である。
【図２】床構造の要部縦断面図である。
【図３】床構造の部分平面図である。
【図４】枠材の平面図である。
【図５】第２実施形態に係る床構造の縦断面図である。
【図６】第３実施形態に係る床構造の縦断面図である。
【図７】上フレームの他の例を示す断面図である。
【図８】配線器具の他の例を示し、（ａ）は上フレームの断面図、（ｂ）は下フレームの断面図である。
【図９】床材の他の例を示す断面図である。
【発明を実施するための形態】
【００２４】
以下、本発明を実施するための形態を、図面に基づき説明する。図１〜図４は、本発明に係る配線器具を使用した床構造の第１実施形態を示す。
【００２５】
図１〜図３に示すように、本発明に係る床構造は、設置面に配置される床材１と、この床材１とともに設けられる照明機器７と、この照明機器７を収容するとともに、この照明機器７に所定の配線８を接続するための配線器具９とを有する。
【００２６】
図１に示すように、床材１は、所定の電気機器Ｅを内部に収容できるように構成される。ここで、電気機器Ｅとは、電気を用いて所定の機能を発揮する機器を全て含む。この電気機器Ｅには、例えば、電源機器（電池、太陽電池、コンデンサ、床発電基板）、照明機器、冷暖房機器、音響機器、センサ、その他の各種機能を発揮する回路基板、マイコン、電子機器等が該当する。
【００２７】
本実施形態では、電気機器Ｅが電源機器である場合について、特に電池を例示して説明する。電気機器Ｅとしての電池は、配線８及び配線器具９を介して照明機器７に接続され、この照明機器７に電力を供給する。床材１内には、マイコン等からなる制御手段が電気機器Ｅの一部として設けられていてもよく、例えば床材１が設置される空間に、人の存在や周囲の明るさを感知するセンサを設け、このセンサと制御手段とを介して、電池とともに照明機器７の点滅を制御するようにしてもよい。また、電池を、蓄電機能を有する蓄電池とした場合は、配線８及び配線器具９を介して外部から供給される電力によって充電されるよう構成しても良い。
【００２８】
この床材１は、上層２、下層３、上層２と下層３との間に設けられる枠材４、電気機器Ｅを収容可能な収容部５、及び電気機器Ｅを保護するための保護部材６を有する。
【００２９】
上層２は、その表面（上面）２ａが床面を構成するものであり、合成樹脂によって例えば平面視四角形状に構成される。この上層２としては、タイルカーペット（ＴＣＰ）、樹脂系タイルが用いられる。上層２にタイルカーペットが利用される場合は、パイル素材としてナイロン、ＰＰ、アクリル、ＰＥＴ、ウール等の素材を利用したタフテッド形状、織形状、ニードルパンチ形状のものが使用される。
【００３０】
また、バッキング材として、ＰＶＣ、ポリエステル、合成ゴム、ＥＶＡ、オレフィンその他の種々の材料を使用できる。また、タイルカーペットからなる上層２は、構造上、寸法を安定させるべく、ガラス繊維、ガラスネット等の材料を含んでいてもよい。この場合の上層２の厚さは、２〜１２ｍｍが望ましく、より望ましくは、３〜１０ｍｍである。
【００３１】
上層２に樹脂系タイルが利用される場合は、その材料として、全ての熱可塑性樹脂が使用可能だが、特に塩化ビニル、ゴム、オレフィン系の熱可塑性樹脂が耐久性、不陸追随性などの観点から好適に使用される。また、その構成として、クリア層、印刷層、中間層、基層の組み合わせを含むプリント層を有するもの、チップ散布や無地のような樹脂練り込みや散布手法等の意匠表現を利用したものが耐久性、意匠性の観点から望ましい。この場合の上層２の厚さは、０．５〜７ｍｍが望ましく、より望ましくは、１〜５ｍｍである。また、上層２に塩化ビニルが使用される場合には、その硬度はショア硬度Ａ４０〜１００である。また、中間層ないしは下層にガラス繊維やガラスネット等を設けることにより、上部からの圧力に対する強度が増すので床材に収容される回路を保護する効果が増す上、タイルの温度変化に対する寸法安定性を確保することが出来る。
【００３２】
下層３は、その裏面（下面）３ｂが床材１の設置面に接触するため、その機能として、収容部５に収容された電気機器Ｅを保護すること、不陸追従性、接着性等が求められる。このため、下層３は、例えば軟質塩化ビニル等の合成樹脂によってシート状に構成されることが望ましい。下層３は、上層２と同じように平面視四角形状に形成されている。この場合の下層３の厚さは、０．１〜３ｍｍが望ましく、より望ましくは、０．５〜２ｍｍである。下層３の厚さが薄すぎると電気機器Ｅの保護が不充分となる虞があり、厚すぎると充分な不陸追随性が得られなくなる虞がある。
【００３３】
下層３における可塑剤の添加量は、５〜７０ｐｈｒ程度が望ましく、より望ましくは１０〜６０ｐｈｒである。可塑剤の添加量が少なすぎると樹脂の柔軟性が低下して充分な不陸追随性が得られなくなる場合があり、逆に添加量が多すぎると樹脂が柔らかくなり過ぎて電気機器Ｅの保護が不充分となる虞がある。また、フィラーの添加量は、引裂等の機械的強度特性を考慮して、２０〜５００ｐｈｒが望ましく、より望ましくは、５０〜１５０ｐｈｒである。フィラーの添加量が少なすぎると、寸法安定性、感温性、可撓性、機械的強度が低下する虞がある。ここで云う感温性の低下とは、床材が低温下で硬くなりすぎて、不陸追随性が悪くなる現象を意味する。特に、機械的強度が低くなり過ぎると、電気機器Ｅの保護が不充分となる虞がある。逆に添加量が多すぎると樹脂硬度が高くなり充分な不陸追随性が得られなくなる場合がある。
【００３４】
また、下層３をニードルパンチ、フェルト等による不織布で構成してもよい。この場合の下層３の厚さは、０．５〜１０ｍｍが望ましく、より望ましくは、１〜５ｍｍである。下層３を不織布で構成するか、下面３ｂに凹凸（エンボス）を形成することにより、施工時の位置ずれの防止効果や、接着剤や粘着剤を用いて敷設する際に接着剤の食い付き性向上効果を得ることができる。特に、接着剤の食い付き性が向上すると、下地面との密着性が向上するので、不陸追随性をさらに高めることができる。
【００３５】
下層３の裏面（下面）３ｂに、滑り止めの手段として、粘着剤や、発泡体からなる吸着材、ゴム・オレフィン系エラストマー、両面粘着テープを積層してもよい。これによって、床材１を設置面に置いたときに、これらを接触させることで、床材１を、設置面に対して滑ることなく固定することができる。
【００３６】
粘着剤、吸着材、エラストマー、両面粘着テープによる敷設は、接着剤を使用した施工に比べて、一旦下地面に貼着した床材を剥がすことは容易であり、施工時に一旦貼った床材の位置を修正することも非常に容易である点が優れている。この為、吸着材や粘着材による敷設は、置敷きタイルやタイルカーペットなどの施工に広く用いられている。
【００３７】
特に、吸着材、エラストマー、両面粘着テープによる施工は、あらかじめ床材を製造する工場で床材裏面に貼っておき、現場で接着剤や粘着剤を塗布・乾燥する工程を省くことができる。現場での塗布・乾燥する工程を省くことができると、作業時間と工数が大幅に削減できるので、施工効率が格段に向上する。
【００３８】
しかしながら、粘着剤、吸着材、エラストマー、両面粘着テープによる施工は、貼着した床材を剥がすことは容易な反面、下地に不陸や段差がある場合、床材がその不陸に追随できないと、踏まれた時だけ一時的に凹部に付き、その後離れるといった動きを繰り返し、粘着質の不快な床鳴りの発生原因となってしまう。本発明の構成を用いると、電気機器を収容しているにも係わらず、下地の不陸への追随性を確保することが可能なので、不快な床鳴りの発生を抑えることが可能となる。
【００３９】
枠材４は、図４に示すように、平面視四角形状の環状に形成される。この枠材４は、上層２よりも硬質の合成樹脂により構成される。枠材４の硬度は、ショア硬度Ｄ５０〜１００が望ましく、より望ましくはＤ６０〜８５である。枠材４の硬度が低すぎると床材が踏まれた際に枠材４が変形し収容した電気機器が破損する虞があり、硬度が高すぎると不陸追随性が低下する場合がある。
【００４０】
図１、図２に示すように、枠材４は、その外側面４ａが、上層２の縁部、及び下層３の縁部とほぼ一致した状態で、上層２及び下層３に接合される。枠材４に上層２及び下層３を接合することにより、収容部５が形成される。上記接合を行う手段は特に限定されないが、例えば、溶着、接着等を挙げることができ、特に接合力の強く床材全体の強度を強く保つことができる溶着が望ましい。また、溶着による加工は、不陸追随の際に床材全体が変形しても剥離する虞が少ないので、本発明に好適に利用できる。特に、溶着による接合は、長期間に渡って安定的に高い強度で密閉性を保つことができる。このため、粉塵等が多く存在する場所又は高湿度の環境などで使用する場合であっても、周囲の粉塵、水分などが床材内部に侵入せず、収容された電気機器の信頼性を低下させることなく長期間使用することができる。また、設備が安価で、高い生産性を示す点でも、溶着により接合することが好ましい。
【００４１】
溶着方法としては、溶剤によるものと、加熱によるものがあるが、加工が容易な上、接合強度が固い加熱方式が本発明に好適に利用できる。上記溶着としては、高周波ウェルダー装置による溶着、高圧プレス機による溶着、超音波ウェルダー装置による溶着、ヒートシール、等の局所的に可能な加熱溶着が挙げられる。このような局所的に可能な加熱溶着は、床材内部に収容された電気機器に伝わる熱を最小限に留めて損傷することなく、高い強度で接合を行うことができる。局所的に可能な加熱溶着としては、なかでも、高周波ウェルダー装置による溶着が好ましい。
【００４２】
高周波ウェルダー装置による加熱溶着加工とは、材料を電極間に配置して高周波電圧を加えて、分子同士の激しい摩擦によって生ずる発熱を利用して材料を加熱、押圧するものである。高周波ウェルダー装置を用いると、多様な装置が市販されているために、溶着の範囲や強度等様々な形態の溶着に対応することが容易であり、また、溶着を行いたい箇所のみを集中的に加熱することができるために、製造時に内部の電気機器が損傷することを抑制することができる。高周波ウェルダー装置としては、ＫＷ−４０００Ｔ（精電舎電子工業株式会社製）、ＬＷ５５００−ＡＰＨ（クインライト電子精工株式会社製）、ＶＷ５０００（山本ビニター株式会社製）などが例示される。かかる高周波ウェルダー装置は、シート載置台の上方に、昇降可能な細長いバーを有するものである。シート載置台の上に、被溶着物であるシートを重ね合わせ、その上に、貼り合わせたい部分の形に応じた形の押型又は切型をバーに付けて、シートの下に絶縁体（シート下敷）を載置して、バーを降ろして金型にシートを接触させ、一定出力の特定周波数の高周波電流を印加して誘電溶着を行う。溶着する部分の端を切り落としたい場合は、下方外側が、一般に使われる空気物の刃（型）よりもやや鋭角になっている切り刃（型）の切型を用い、溶着のみで切断を同時に行わない場合は下方が平坦になっている押型を用いる。
【００４３】
加工における温度、圧力、押圧時間、周波数などの条件等は，予備試験を行って所望の強度が得られるように適宜決定すればよいが、本発明では、内部の電気装置への損傷を避けつつ所望の溶着強度を得るために、１３０〜１６０℃の温度範囲、１〜１００kg／cm2の圧力範囲内の乾熱範囲で、３〜１２秒熱間溶着加工を行うのが好ましい。また、電極間に高周波電圧を加える際の周波数は、１０〜５０ＭＨｚの範囲の周波数を用いることが好ましい。１０ＭＨｚ未満では、十分に加熱されず、軟化が不十分となり、５０ＭＨｚを超える場合は、高周波を発振する発振機が複雑かつ大型になって装置コストが非常に高くなるので経済的に不利となる。
【００４４】
加えて、表面材にタイルカーペットを用いる場合、高周波ウェルダー加工と超音波ウェルダー加工を用いると溶着箇所のパイル糸の繊維形態を残して溶融し、前記溶融により生じた溶融接着層の表面に凹凸状に柄をつけ、基布に含浸させて縁部処理することも可能である。特に、高周波ウェルダー装置を用いると、高周波誘電加熱により絶縁体自体を内部発熱させることができるので好適である。パイル糸の繊維形態を残すためには、平滑な床材基板と、その上方に配置され、凹凸面で形成された金型との間に、パイル糸を有する表皮層とバッキング層とを積層したカーペットを挟んで熱溶着加工を行う。前記床材基板と、前記凹凸面で形成された金型の両方に高周波ウェルダー装置の電極を接続し、前記電極間に高周波電圧を加えると、高周波誘電加熱により表皮層のパイル糸が軟化させた後に冷却することで、カーペット表面に凹凸面で形成される立体柄を形成できる。
【００４５】
枠材４は、上層２及び下層３に容易に溶着できるように、上層２及び下層３と同じ材料か、又は上層２及び下層３と相溶性の良い材料によって構成される。枠材４の材料としては、例えば、アクリル系樹脂、ナイロン樹脂、ＡＢＳ樹脂、ポリエステル樹脂等が使用される。
【００４６】
また、例えば、枠材４と上層２との間、又は枠材４と下層３との間に、接着層としてＥＶＡ系、ポリアミド系、ポリウレタン系等のホットメルト樹脂を別途用いて溶着してもよく、この場合には、接着層によって相溶性の差を緩和することができので、上層２と枠材４、又は下層３と枠材４を相溶性の低い異なる樹脂材料によって構成してもよい。
【００４７】
枠材４の厚さ（図４において符号ｔで示す）は、上層２に加わる荷重を支持するために十分な強度を確保できるように、そして、床材１内の電気機器Ｅが十分な機能を発揮できるように、３〜５０ｍｍとされるのが望ましく、より望ましくは、５〜３０ｍｍ、最も望ましくは１０〜２５ｍｍとされるのがよい。また、枠材４の厚みが厚すぎると不陸追随性も低下する虞があるので好ましくない。
【００４８】
図３，図４に示すように、四角形状の枠材４の一辺には、収容部５に収容される電気機器Ｅに接続される配線８を床材１の内外に通過させるための配線口１１が形成されている。この配線口１１は、枠材４の上下方向における一端部（上端部）から所定の深さに形成される凹部である。
【００４９】
枠材４は、断面視四角形状に構成されるとともに、その上下方向の一端面（上面）が上層２に接合される接合面（以下「第１接合面」という）４ｂとなっている。また、枠材４は、その上下方向の他端面（下面）が下層３に接合される接合面（以下「第２接合面」という）４ｃとなっている。第１接合面４ｂは、溶着によって上層２の裏面（下面）２ｂに接合され、第２接合面４ｃは、溶着によって下層３の表面（上面）３ａに接合される。上層２、枠材４、及び下層３が溶着によって接合加工されることによって、一体の箱状の樹脂構造体となるので、上下方向からの圧力にも潰れにくいが、一体で変形するので一定範囲の不陸追随も可能となる。
【００５０】
収容部５は、上層２、枠材４、及び下層３の内側に形成される空間である。より具体的には、収容部５は、上層２の裏面（下面）２ｂと枠材４の第１接合面４ｂとを溶着し、枠材４の第２接合面４ｃと下層３の表面（上面）３ａとを溶着することにより、上層２の裏面（下面）２ｂ、枠材４の内側面４ｄ、及び下層３の表面（上面）３ａによって囲まれることで形成される床材１の内部空間である。
【００５１】
この収容部５において、収容される電気機器Ｅの側面と、枠材４の内側面４ｄとの間には隙間（間隔）１３が設けられていることが望ましい。この隙間１３により、電気機器Ｅの熱によって膨張した場合や、寸法誤差がある場合であっても、電気機器Ｅや枠材４に不要な応力が生じることなく、長期かつ確実に電気機器Ｅを収容することができる。なお、この隙間（間隔）１３は、０．５〜５ｍｍが望ましく、より望ましくは、０．５〜３ｍｍである。
【００５２】
保護部材６は、電気機器Ｅと下層３との間に設けられ、電気機器Ｅに加わる衝撃を吸収する緩衝部材（クッション部材）として機能する。この保護部材６は、例えば、ウレタン、塩化ビニル、ＰＥ等の合成樹脂などからなる発泡体、またはニードルパンチ、フェルト等の不織布によって構成される。
【００５３】
照明機器７としては、例えば、ＬＥＤ（Light Emitting Diode）によるものが用いられる。この照明機器７は、図３に示すように、床材１の目地の部分に配置されるように、直方体状、棒状その他の形状によって直線状に構成される。照明機器７は、例えば、その端部にコネクタを有し、配線８の一端部がこのコネクタに接続されるように構成される。コネクタは、電気配線に一般的に用いられるものであれば、何でも良いが、水濡れの虞がある場合は、防水性が有するものを用いるのが望ましい。
【００５４】
配線器具９は、照明機器７を収容する上フレーム２１と、配線８を収容する下フレーム２２とを有する。本実施形態では、上フレーム２１と下フレーム２２はほぼ同じ長さに設定されている。また、上フレーム２１と下フレーム２２の長さは、床材１の一辺の長さとほぼ等しく設定されている。
【００５５】
上フレーム２１は、例えばアルミニウム、ステンレス、鉄、等の金属、硬質塩化ビニル、アクリル系樹脂、ナイロン樹脂、ＡＢＳ樹脂、ポリエステル樹脂等の合成樹脂その他の材料によって長尺状に構成される。上フレーム２１の材料としては、アルミニウムが錆び難く、耐久性、加工性も良いので望ましい。上フレーム２１は、図２に示すように、底部２１ａと、底部２１ａの幅方向の両端部から上方に突出する２つの側壁部２１ｂ，２１ｃとを有する。上フレーム２１には、側壁部２１ｂ，２１ｃと底部２１ａによって、照明機器７を収容するための凹部が形成される。上フレーム２１の底部２１ａには、配線８を挿通するための開口部（以下「第１開口部」という）３１が形成されている。第１開口部３１の大きさ及び数は、照明機器７の大きさ、種類に応じて適宜選択することができる。
【００５６】
下フレーム２２は、例えばアルミニウム、ステンレス、鉄、等の金属、硬質塩化ビニル、アクリル系樹脂、ナイロン樹脂、ＡＢＳ樹脂、ポリエステル樹脂等の合成樹脂その他の材料によって四角筒状に構成されており、上フレーム２１と同様に、アルミニウムを材料として選択するのが望ましい。下フレーム２２は、図２に示すように、底部２２ａと、底部２２ａの幅方向の両端部から上方に突出する２つの側壁部２２ｂ，２２ｃと、各側壁部２２ｂ，２２ｃの上端部同士を連結する上壁部２２ｄとを有する。下フレーム２２の上壁部２２ｄには、照明機器７に接続される配線８を挿通するための開口部（以下「第２開口部」という）３２が形成されている。第２開口部３２は、上フレーム２１と下フレーム２２を重ねたときに、第１開口部３１と一致するように下フレーム２２の所定位置に形成されている。
【００５７】
また、下フレーム２２の各側壁部２２ｂ，２２ｃには、床材１内の電気機器Ｅに接続される配線８を挿通するための開口部（以下「第３開口部」という）３３が形成されている。第３開口部３３は、配線器具９を床材１の側部に当接させて配置したときに、床材１の配線口１１と一致するように、下フレーム２２の長手方向の中途部に設けられている。
【００５８】
下フレーム２２の下部には、床材１の下面（下層３の下面３ｂ）に当接してこの床材１を保持する保持部３５が設けられている。この保持部３５は、下フレーム２２の下部から幅方向外方に突出する突出部である。この保持部３５は、板状に構成されており、その上面３５ａに床材１の下面（下層３の下面３ｂ）が載せられることによって、この床材１の幅方向における位置がずれないように保持することができる。この保持部３５の上面３５ａには、床材１を確実に保持できるように、接着剤、接着テープ等を塗布、貼付してもよい。また、保持部３５の下面３５ｂにも、接着剤等を設けるようにしてもよい。
【００５９】
以上説明した床構造の配線器具９によれば、上フレーム２１に照明機器７を収容するとともに、下フレーム２２にその配線８を収容し、この上フレーム２１と下フレーム２２とを上下に重ねて配置することにより、照明機器７の種類、大きさ等にかかわらず、下フレーム２２における配線８の収容空間を確保できる。したがって、照明機器７の数や種類に応じて配線８が複雑になった場合であっても、その接続を確実に行うことができる。
【００６０】
また、上フレーム２１には、下フレーム２２に収容される配線８を挿通可能な第１開口部３１が形成され、下フレーム２２の上部に第２開口部３２が形成されていることから、下フレーム２２に上フレーム２１を重ね、この第１開口部３１と第２開口部３２とを一致させた状態で、これらを通じて、下フレーム２２に収容される配線８を上フレーム２１に収容される照明機器７に確実に接続できる。
【００６１】
また、下フレーム２２の側壁部２２ｂ，２２ｃには、第３開口部３３が形成されていることから、この下フレーム２２に収容される配線８を下フレーム２２の中途部から外部に出し、電気機器Ｅのような外部の機器との接続も可能になる。
【００６２】
さらに、下フレーム２２には、床材１を保持する保持部３５が形成されていることから、この床材１の位置ずれを確実に防止できる。
【００６３】
上記のような構成の配線器具９を上記のような構成の床材１の側部に当接させて床構造を構成することにより、床材１内の電気機器Ｅから照明機器７までの配線経路を最小化することで、接続に係る作業性が向上するともに、配線８の線長が短くできるので、コストを低減できる。
【００６４】
図５は、本発明の第２実施形態を示す。本実施形態では、床材１の構成及び上フレーム２１の構成が第１実施形態と異なる。図５には、設置面に設けられた２つの床材１のうちの一方は、第１実施形態と同様に、内部に電気機器Ｅを収容しているが、他方の床材１００は内部に収容部５が形成されておらず、電気機器Ｅを収容していない。これにより、他方の床材１００は、一方の床材１よりも薄くなっている。したがって、電気機器Ｅを収容している床材１と電気機器Ｅを収容していない床材１００を並設すると、その間に段差が構成されることとなる。
【００６５】
配線器具８の上フレーム２１は、２つの側壁部２１ｂ，２１ｃのうちの一方（２１ｂ）から突出して形成される傾斜部３６を有する。この傾斜部３６は、隣り合う床材１と床材１００の厚さが異なる場合、これらの床材間の段差を解消するためのものである。
【００６６】
傾斜部３６は、上フレーム２１の側壁部２１ａの上部から下方に傾斜するように突出して構成される。傾斜部３６の突出端部には、薄い床材１００の上面に当接した状態で、この傾斜部を支持する支持部３７が設けられている。支持部３７は、傾斜部３６の突出端部から鋭角に折曲するように構成されている。
【００６７】
本実施形態では、隣り合う床材１と床材１００の厚さが異なる場合において、これらの床材間に生じる段差を傾斜部３６で塞ぐことにより、歩行者、居住者等が段差に躓くということを防止できるようになっている。また、例えば車輪付きの台車等がこの床材１と床材１００を横切って通過するような場合においても、傾斜部３６により車輪が段差を乗り越えることができるので、スムーズに通過することができる。
【００６８】
本実施形態のその他の構成は、第１実施形態とほぼ同じである。本実施形態が第１実施形態と共通する部分には、共通符号を付して説明を割愛する。本実施形態においても、第１実施形態と同様の作用効果を奏する。
【００６９】
図６は、本発明の第３実施形態を示す。本実施形態は、第２実施形態と同様に、隣り合う床材１と床材１００間に生じる段差を解消することが可能であるが、その構成が異なる。本実施形態に係る床構造では、厚さの薄い床材１００の下側に、床材１との間の段差を解消するためのスペーサ３８が設けられている。本実施形態に係る配線器具９の上フレーム２１には、薄い床材１００の下面に当接してこれを保持するための保持部４１が設けられている。この保持部４１は、板状に構成され、上フレーム２１の下部から幅方向の一方側に突出している。
【００７０】
この保持部４１は、その上面が薄い床材１００の下面に当接するとともに、その下面が、スペーサ３８の上面３８ａに当接している。このように、保持部４１は、床材１００とスペーサ３８との間に位置することにより、床材１００の幅方向（横方向）における位置ずれを防止できるようになっている。
【００７１】
本実施形態におけるその他の構成は、第１実施形態とほぼ同じである。本実施形態が第１実施形態と共通する部分には、共通符号を付して説明を割愛する。本実施形態においても、第１実施形態と同様の作用効果を奏する。
【００７２】
図７は、上フレーム２１の変形例を示す。この例では、上フレーム２１の２つの側壁部２１ｂ，２１ｃの一方（２１ｂ）に、第２実施形態と同様な傾斜部３６が形成され、他方の側壁部２１ｂに、第３実施形態で例示した保持部４１が形成されている。このようにすることで、床材１の代わりに床材１００を配置するなど、多様な床材の使用によって生じる段差に対して柔軟な対応が可能になる。
【００７３】
図８は、配線器具９の他の例を示す。第１実施形態では、配線器具９の下フレーム２２が四角筒状に構成されていたが、この例による下フレーム２２は、図８（ｂ）に示すように、上部が開放状に構成されている。下フレーム２２は、底部２２ａと、この底部２２ａの幅方向の端部から上方に突出する２つの側壁部２２ｂ，２２ｃと、各側壁部２２ｂ，２２ｃの幅方向内方位置で、上方に突出する２つの突出部４３，４４を有する。
【００７４】
２つの突出部４３，４４のうち、一方の突出部４３は、２つの側壁部２２ｂ，２２ｃの一方（２２ｂ）と対（組）となっている。また、他方の突出部４４は、他方の側壁部２２ｃと対（組）となって凹部４７が形成されている。凹部４７の内面となる側壁部２２ｂ，２２ｃと突出部４３，４４とは、その対向する面に複数の突起部４７ａが形成されている。この突起部４７ａは上フレーム２１を掛止する掛止部となっている。
【００７５】
上フレーム２１には、図８（ａ）に示すように、その底部２１ａから下方に突出する突出部４８が形成されており、この突出部４８の側面には、凹部４７の内面に形成された前記突起部４７ａが係合する複数の突起部４８ａが形成されている。上フレーム２１の突出部４８を凹部４７に嵌め込むことによって、凹部４７の突起部４７ａが、上フレーム２２の突出部４８に形成される突起部４８ａに係合して掛止することで、上フレーム２１を下フレーム２２に連結することができる。
【００７６】
図９は、床材１の他の例を示す。この例では、配線器具９の下フレーム２２が、床材１と一体に構成されている。具体的には、この下フレーム２２は、合成樹脂によって、床材１の下層３と一体成形されている。下フレーム２２は、底部２２ａと、この底部２２ａの幅方向の端部から上方に突出する２つの側壁部２２ｂ，２２ｃを有する。この例では、２つの側壁部２２ｂ，２２ｃの間の空間（凹部）に配線８を収容できるようになっている。この例では、２つの側壁部２２ｂ，２２ｃの上面に上記の実施形態で例示した上フレーム２１の下面を当接させ、この上フレーム２１を下フレーム２２に重ねることで照明機器７の配設と配線８の接続を容易に行うことができる。また、２つの側壁部２２ｂ，２２ｃのうち、一方の側壁部２２ｃは、枠材４の外側面４ａと接触しており、枠材４を下層３に接合するときのガイド部としても利用できる。
【００７７】
なお、本発明は上記の実施形態に限らず、種々の変更・変形が可能である。
【００７８】
例えば、上記の実施形態では、床材１内に電気機器Ｅとしての電池を収容して、この電池と照明機器７を配線８で接続した例を示したが、これに限らず、床材１に電池以外の電気機器Ｅを収容するとともに、電気機器Ｅ及び照明機器７を、配線８を介して、床材１が設置される屋内の電源に接続してこれらに電力を供給するようにしてもよい。また、電気機器Ｅを収容していない床材１とともに照明機器７及び配線器具９を配置して床構造を構成してもよい。
【００７９】
上記の実施形態では、上フレーム２１、下フレーム２２が直線状（棒状）に構成された例を示したが、これに限らず、床材１の形状に応じて、湾曲形状、中途部が所定の角度で折曲された形状その他の種々の形状を採用できる。
【符号の説明】
【００８０】
１…床材、２…上層、２ａ…上層の表面（上面）、２ｂ…上層の裏面（下面）、３…下層、３ａ…下層の表面（上面）、３ｂ…下層の裏面（下面）、４…枠材、４ａ…枠材の外側面、４ｂ…第１接合面、４ｃ…第２接合面、４ｄ…枠材の内側面、５…収容部、６…保護部材、７…照明機器、８…配線、９…配線器具、１１…配線口、１３…隙間、２１…上フレーム、２１ａ…上フレームの底部、２１ｂ…上フレームの側壁部、２１ｃ…上フレームの側壁部、２２…下フレーム、２２ａ…下フレームの底部、２２ｂ…下フレームの側壁部、２２ｃ…下フレームの側壁部、２２ｄ…下フレームの上壁部、３１…第１開口部、３２…第２開口部、３３…第３開口部、３５…保持部、３５ａ…保持部の上面、３５ｂ…保持部の下面、３６…傾斜部、３７…支持部、３８…スペーサ、３８ａ…スペーサの上面、４１…保持部、４３…突出部、４４…突出部、４７…凹部、４７ａ…突起部、４８…突出部、４８ａ…突起部、１００…床材、Ｅ…電気機器、ｔ…枠材の厚さ
【図１】
0005620176.tif 000002
【図２】
0005620176.tif 000003
【図３】
0005620176.tif 000004
【図４】
0005620176.tif 000005
【図５】
0005620176.tif 000006
【図６】
0005620176.tif 000007
【図７】
0005620176.tif 000008
【図８】
0005620176.tif 000009
【図９】
0005620176.tif 000010